(57)【特許請求の範囲】
【請求項１】
回線交換ドメインのための無線アクセスベアラを、ＤＣＨと、Ｅ−ＤＣＨ／ＨＳＤＰＡと、の間で再構築する場合において、ＲＡＢ情報に対応する無線アクセスベアラが、既に確立されている無線アクセスベアラとして存在し、コアネットワークドメインＩＤ情報要素に含まれるコアネットワークドメインのためのＴＭの無線ベアラが存在せず、かつ、ＲＢ  ｉｎｆｏｒｍａｔｉｏｎ  ｔｏ  ｓｅｔｕｐ  情報要素に少なくとも１つのＴＭの無線ベアラが含まれている場合、新しい無線アクセスベアラに使用される初期値を計算する無線通信装置から、前記初期値を受信する、無線アクセスネットワーク。
【請求項２】
前記コアネットワークドメインＩＤ情報要素及び前記ＲＢ  ｉｎｆｏｒｍａｔｉｏｎ  ｔｏ  ｓｅｔｕｐ  情報要素は、前記無線アクセスネットワークが送信した無線ベアラセットアップメッセージに含まれる、請求項１に記載の無線アクセスネットワーク。
【請求項３】
前記初期値は、前記新しい無線アクセスベアラの暗号化に使用される、請求項１または２に記載の無線アクセスネットワーク。
【請求項４】
前記無線通信装置は、前記再構築の前に前記無線アクセスベアラの暗号化に使用されていた変数を用いて、前記初期値を計算する、請求項１乃至３のいずれか一項に記載の無線アクセスネットワーク。
【請求項５】
回線交換ドメインのための無線アクセスベアラを、ＤＣＨと、Ｅ−ＤＣＨ／ＨＳＤＰＡと、の間で再構築する場合において、ＲＡＢ情報に対応する無線アクセスベアラが、既に確立されている無線アクセスベアラとして存在し、コアネットワークドメインＩＤ情報要素に含まれるコアネットワークドメインのためのＴＭの無線ベアラが存在せず、かつ、ＲＢ  ｉｎｆｏｒｍａｔｉｏｎ  ｔｏ  ｓｅｔｕｐ  情報要素に少なくとも１つのＴＭの無線ベアラが含まれている場合、新しい無線アクセスベアラに使用される初期値を計算する無線通信装置から、前記初期値を受信する工程を有する、通信方法。
【請求項６】
前記コアネットワークドメインＩＤ情報要素及び前記ＲＢ  ｉｎｆｏｒｍａｔｉｏｎ  ｔｏ  ｓｅｔｕｐ  情報要素は、前記無線アクセスネットワークが送信した無線ベアラセットアップメッセージに含まれる、請求項５に記載の、通信方法。
【請求項７】
前記初期値は、前記新しい無線アクセスベアラの暗号化に使用される、請求項５または６に記載の、通信方法。
【請求項８】
前記無線通信装置は、前記再構築の前に前記無線アクセスベアラの暗号化に使用されていた変数を用いて、前記初期値を計算する、請求項５乃至７のいずれか一項に記載の、通信方法。
【発明の詳細な説明】
【技術分野】
【０００１】
本発明は、無線通信システムにおいて、回線交換（ＣＳ；Circuit Switching）呼の秘匿設定を行う技術に関する。
【背景技術】
【０００２】
回線交換呼の処理を行う無線通信システムとして、３ＧＰＰ（3rd Generation Partnership Projects）では、図１に示すような無線通信システムが提案されている。
【０００３】
図１に示す無線通信システムは、無線アクセスネットワークであるＵＴＲＡＮ（Universal Terrestrial Radio Access Network）１０が、基幹ネットワークであるＣＮ（Core Network）４０と接続された構成になっている。
【０００４】
また、ＣＮ４０には、ＭＳＣ（Mobile-services Switching Centre）５０が設けられ、ＵＴＲＡＮ１０には、ＲＮＣ（Radio Network Controller：無線制御装置）２０およびＮｏｄｅ  Ｂ（基地局装置）３０が設けられている。ただし、ＵＴＲＡＮ１０には、ＲＮＣ２０の機能がＮｏｄｅ  Ｂ３０に吸収され、ＲＮＣ２０が設けられていないものも存在する。また、Ｎｏｄｅ  Ｂ３０は、無線通信装置であるＵＥ（User Equipment：ユーザ装置）６０と無線インタフェースを介して接続されている。
【０００５】
回線交換呼としては、ＡＭＲ（Adaptive Multi-Rate）コーデックやＡＭＲ−ＷＢ（AMR Wideband）コーデックで符号化されたＡＭＲフレームやＡＭＲ−ＷＢフレームがあり、これらのＡＭＲフレームやＡＭＲ−ＷＢフレームは、これまで、ＤＣＨ（Dedicated Channel）で送受信されていた。このように回線交換呼をＤＣＨで送受信する機能は、ＣＳ  ｖｏｉｃｅ  ｏｖｅｒ  ＤＣＨと称されている。
【０００６】
このＣＳ  ｖｏｉｃｅ  ｏｖｅｒ  ＤＣＨのアーキテクチャでは、図２に示すように、上り回線にはＵＬ−ＤＰＤＣＨ（Uplink Dedicated Physical Data Channel）を用い、下り回線にはＤＬ−ＤＰＤＣＨ（Downlink Dedicated Physical Data Channel）を用いている。また、ＭＡＣ（Media Access Control）−ｄというエンティティにおいて、ＡＭＲフレームやＡＭＲ−ＷＢフレームの秘匿（暗号化、復号化）が行われる。秘匿方法には、例えば、非特許文献１に開示されている方法が使用される。
【０００７】
ここで、無線通信システムにおいて、ＣＳ  ｖｏｉｃｅ  ｏｖｅｒ  ＤＣＨを実現するために、回線交換ドメイン（ＣＳドメイン）のための無線アクセスベアラ（ＲＡＢ；Radio access bearer）をＤＣＨ上に確立する場合の全体動作を、図３を参照して説明する。
【０００８】
なお、以降の説明では、回線交換ドメインのための無線アクセスベアラを、単に、“無線アクセスベアラ”と称する。
【０００９】
また、ＵＥ６０とＵＴＲＡＮ１０との間で送受信されるメッセージはＲＲＣ（Radio Resource Control）メッセージであり、また、ＵＴＲＡＮ１０とＭＳＣ５０との間で送受信されるメッセージはＲＡＮＡＰ（Radio Access Network Application Part）メッセージであるものとして説明する。
【００１０】
図３に示すように、まず、状態１１０１において、ＵＥ６０とＵＴＲＡＮ１０との間でＲＲＣ接続が確立されている。
【００１１】
次に、ステップ１１０２において、ＭＳＣ５０は、ＵＴＲＡＮ１０に対し、ＤＣＨ上への無線アクセスベアラの確立を指示するＲＡＢ  ＡＳＳＩＧＮＭＥＮＴ  ＲＥＱＵＥＳＴメッセージを送信する。
【００１２】
次に、ステップ１１０３において、ＵＴＲＡＮ１０は、ＤＣＨリソースの確保、設定を行い、前回ＵＥ６０から送信されてきたＳＴＡＲＴ値（START value）を用いて、ＭＡＣにおける秘匿設定を行う。ここで、ＳＴＡＲＴ値は、回線交換呼の秘匿設定に用いる初期値である。（例えば、非特許文献２）さらに、ステップ１１０４において、ＵＴＲＡＮ１０は、ＤＣＨ上への無線アクセスベアラの確立を指示するＲＡＢ  ｉｎｆｏｒｍａｔｉｏｎ  ｆｏｒ  ｓｅｔｕｐ情報要素を含むＲＡＤＩＯ  ＢＥＡＲＥＲ  ＳＥＴＵＰメッセージを送信する。
【００１３】
次に、ステップ１１０５において、ＵＥ６０は、受信したＲＡＤＩＯ  ＢＥＡＲＥＲ  ＳＥＴＵＰメッセージに含まれるＲＡＢ  ｉｎｆｏｒｍａｔｉｏｎ  ｆｏｒ  ｓｅｔｕｐ情報要素の指示に従い、ＤＣＨの無線ベアラを確立するＤＣＨ設定を行う。このＤＣＨ設定においては、ＳＴＡＲＴ値の設定とそのＳＴＡＲＴ値を用いたＭＡＣにおける秘匿設定も行う。さらに、ステップ１１０６において、ＵＥ６０は、ＵＴＲＡＮ１０に対し、設定したＳＴＡＲＴ値を含むＲＡＤＩＯ  ＢＥＡＲＥＲ  ＳＥＴＵＰ  ＣＯＭＰＬＥＴＥメッセージを送信する。
【００１４】
その後、ＵＴＲＡＮ１０は、ステップ１１０７において、ＵＥ６０から送信されてきたＳＴＡＲＴ値を用いて、ＭＡＣにおける秘匿設定の更新を行った後、ステップ１１０８において、ＭＳＣ５０に対し、ＲＡＢ  ＡＳＳＩＧＮＭＥＮＴ  ＲＥＳＰＯＮＳＥメッセージを送信する。
【００１５】
ところで、最近、３ＧＰＰのＲＡＮ２会合＃６０において、ＡＭＲフレームやＡＭＲ−ＷＢフレームを、ＨＳＰＡ（High Speed Packet Access）で送受信するＣＳ  ｖｏｉｃｅ  ｏｖｅｒ  ＨＳＰＡと称される機能が新たに提案された（非特許文献３）。ＨＳＰＡは、ＤＣＨに比べ、通信速度が高く、また、周波数利用効率が高いという特徴を持つ。
【００１６】
このＣＳ  ｖｏｉｃｅ  ｏｖｅｒ  ＨＳＰＡのアーキテクチャでは、図４に示すように、上り回線にはＥ−ＤＣＨ（Enhanced uplink DCH）を用い、下り回線にはＨＳ−ＤＳＣＨを使用するＨＳＤＰＡ（High Speed Downlink Packet Access）を用いている。また、ＡＭＲフレームやＡＭＲ−ＷＢフレームの秘匿として、ＲＬＣ  ＵＭ  ＴＸ（Radio Link Control Unacknowledged Mode Transmission）というエンティティにおいて暗号化が行われ、ＲＬＣ  ＵＭ  ＲＸ（RLC UM reception）というエンティティにおいて復号化が行われる。
【００１７】
ここで、無線通信システムにおいて、ＣＳ  ｖｏｉｃｅ  ｏｖｅｒ  ＨＳＰＡを実現するために、無線アクセスベアラをＥ−ＤＣＨ／ＨＳＤＰＡ上に確立する場合の全体動作を、図５を参照して説明する。
【００１８】
図５に示すように、まず、状態１３０１において、ＵＥ６０とＵＴＲＡＮ１０との間でＲＲＣ接続が確立されている。
【００１９】
次に、ステップ１３０２において、ＭＳＣ５０は、ＵＴＲＡＮ１０に対し、Ｅ−ＤＣＨ／ＨＳＤＰＡ上への無線アクセスベアラの確立を指示するＲＡＢ  ＡＳＳＩＧＮＭＥＮＴ  ＲＥＱＵＥＳＴメッセージを送信する。
【００２０】
次に、ステップ１３０３において、ＵＴＲＡＮ１０は、Ｅ−ＤＣＨ／ＨＳＤＰＡリソースの確保、設定を行う。さらに、ステップ１３０４において、ＵＴＲＡＮ１０は、Ｅ−ＤＣＨ／ＨＳＤＰＡ上への無線アクセスベアラの確立を指示するＲＡＢ  ｉｎｆｏｒｍａｔｉｏｎ  ｆｏｒ  ｓｅｔｕｐ情報要素を含むＲＡＤＩＯ  ＢＥＡＲＥＲ  ＳＥＴＵＰメッセージを送信する。
【００２１】
次に、ステップ１３０５において、ＵＥ６０は、受信したＲＡＤＩＯ  ＢＥＡＲＥＲ  ＳＥＴＵＰメッセージに含まれるＲＡＢ  ｉｎｆｏｒｍａｔｉｏｎ  ｆｏｒ  ｓｅｔｕｐ情報要素の指示に従い、Ｅ−ＤＣＨ／ＨＳＤＰＡの無線ベアラを確立するＥ−ＤＣＨ／ＨＳＤＰＡ設定を行う。このＥ−ＤＣＨ／ＨＳＤＰＡ設定においては、ＳＴＡＲＴ値の設定とそのＳＴＡＲＴ値を用いたＲＬＣにおける秘匿設定も行う。さらに、ステップ１３０６において、ＵＥ６０は、ＵＴＲＡＮ１０に対し、設定したＳＴＡＲＴ値を含むＲＡＤＩＯ  ＢＥＡＲＥＲ  ＳＥＴＵＰ  ＣＯＭＰＬＥＴＥメッセージを送信する。
【００２２】
その後、ＵＴＲＡＮ１０は、ステップ１３０７において、ＵＥ６０から送信されてきたＳＴＡＲＴ値を用いて、ＲＬＣにおける秘匿設定を行った後、ステップ１３０８において、ＭＳＣ５０に対し、ＲＡＢ  ＡＳＳＩＧＮＭＥＮＴ  ＲＥＳＰＯＮＳＥメッセージを送信する。
【先行技術文献】
【非特許文献】
【００２３】
【非特許文献１】3GPP TS 33.102, 6.6.3および6.6.4
【非特許文献２】3GPP TS 25.331 V7.6.0, 10.3.3.38および8.5.9
【非特許文献３】CHANGE REQUEST 25.331 CR CR3214
【発明の概要】
【発明が解決しようとする課題】
【００２４】
上述のように、無線通信システムにおいては、無線アクセスベアラをＤＣＨまたはＥ−ＤＣＨ／ＨＳＤＰＡにそれぞれ確立することができる。
【００２５】
しかし、無線アクセスベアラをＥ−ＤＣＨ／ＨＳＤＰＡ上に確立した場合でも、例えば、ＵＥ６０がＣＳ  ｖｏｉｃｅ  ｏｖｅｒ  ＨＳＰＡをサポートしていなければ、回線交換呼をＥ−ＤＣＨ／ＨＳＤＰＡで送受信することはできない。そのため、この場合は、既存のＥ−ＤＣＨ／ＨＳＤＰＡ上の無線アクセスベアラを解放し、ＤＣＨ上に無線アクセスベアラを新たに確立すること、すなわち、無線アクセスベアラをＥ−ＤＣＨ／ＨＳＤＰＡからＤＣＨに再構築（reconfiguration）することが必要である。
【００２６】
その他にも、ＲＮＣ２０が切り替えられた場合や、ＵＥ６０が移動した場合等に、無線アクセスベアラを、Ｅ−ＤＣＨ／ＨＳＤＰＡからＤＣＨに、または、ＤＣＨからＥ−ＤＣＨ／ＨＳＤＰＡに、再構築することが必要な場合がある。
【００２７】
無線アクセスベアラをＤＣＨとＥ−ＤＣＨ／ＨＳＤＰＡとの間で再構築することになった場合は、回線交換呼を、Ｅ−ＤＣＨ／ＨＳＤＰＡからＤＣＨに、または、ＤＣＨからＥ−ＤＣＨ／ＨＳＤＰＡに、マッピングし直す必要がある。
【００２８】
ここで、上述のように、ＲＬＣ  ＴＭ（RLC Transparent Mode）の場合、すなわちＣＳ  ｖｏｉｃｅ  ｏｖｅｒ  ＤＣＨの場合は、ＭＡＣにおける秘匿設定を行い、また、ＲＬＣ  ＵＭの場合、すなわちＣＳ  ｖｏｉｃｅ  ｏｖｅｒ  ＨＳＰＡの場合は、ＲＬＣにおける秘匿設定を行う。したがって、無線アクセスベアラをＤＣＨとＥ−ＤＣＨ／ＨＳＤＰＡとの間で再構築することになった場合は、ＭＡＣ又はＲＬＣにおいて新たな秘匿設定を行う必要がある。
【００２９】
しかし、秘匿設定に用いる変数の１つであるカウント−Ｃ（COUNT-C）の構成は、ＲＬＣのモードによって異なる（非特許文献１）。したがって、再構築前の秘匿設定のカウント−Ｃを再構築後の新たな秘匿設定にそのまま引き継ぐことはできないため、カウント−Ｃの初期化に用いる初期値（ＳＴＡＲＴ値）が必要となる。
【００３０】
以上のように、無線アクセスベアラをＤＣＨとＥ−ＤＣＨ／ＨＳＤＰＡとの間で再構築する場合、ＳＴＡＲＴ値を新たに設定する必要がある。しかし、非特許文献３では、無線アクセスベアラをＤＣＨとＥ−ＤＣＨ／ＨＳＤＰＡとの間で再構築する場合のＳＴＡＲＴ値の設定方法については、何らの提案もなされていないため、回線交換呼を正しく秘匿できないという課題がある。
【００３１】
そこで、本発明の目的は、上述した課題を解決することができる無線通信システム、無線通信装置、および暗号化方法を提供することにある。
【課題を解決するための手段】
【００３２】
本発明の無線通信システムは、無線アクセスネットワークと、無線通信装置と、を有してなる無線通信システムであって、前記無線通信装置は、回線交換ドメインのための無線アクセスベアラを、ＤＣＨと、上り回線のＥ−ＤＣＨおよび下り回線のＨＳＤＰＡと、の間で再構築する場合に、前記無線アクセスベアラの暗号化に、前記再構築後に使用される初期値を設定する制御部と、前記制御部にて設定された前記再構築後に使用される前記初期値を、前記無線アクセスネットワークに送信する送受信部と、を有する。
【００３３】
本発明の無線通信装置は、回線交換ドメインのための無線アクセスベアラを、ＤＣＨと、上り回線のＥ−ＤＣＨおよび下り回線のＨＳＤＰＡと、の間で再構築する場合に、前記無線アクセスベアラの暗号化に、前記再構築後に使用される初期値を設定する制御部と、前記制御部にて設定された前記再構築後に使用される前記初期値を、無線アクセスネットワークに送信する送受信部と、を有する。
【００３４】
本発明の暗号化方法は、無線通信装置による暗号化方法であって、回線交換ドメインのための無線アクセスベアラを、ＤＣＨと、上り回線のＥ−ＤＣＨおよび下り回線のＨＳＤＰＡと、の間で再構築する場合に、前記無線アクセスベアラの暗号化に、前記再構築後に使用される初期値を設定する設定ステップと、前記設定された前記再構築後に使用される前記初期値を、無線アクセスネットワークに送信する送信ステップと、を有する。
【発明の効果】
【００３５】
本発明によれば、無線通信装置は、無線アクセスベアラを、ＤＣＨと、Ｅ−ＤＣＨおよびＨＳＤＰＡと、の間で再構築する場合、無線アクセスベアラの暗号化に、再構築後に使用される初期値を設定し、無線アクセスネットワークに送信する。
【００３６】
したがって、無線アクセスベアラを再構築する場合、無線通信装置および無線アクセスネットワークの双方で、無線通信装置にて設定された新たな初期値を用いて暗号化を行うことができるため、回線交換呼を正しく秘匿することができるという効果が得られる。
【図面の簡単な説明】
【００３７】
【図１】無線通信システムの構成を示す図である。
【図２】ＣＳ  ｖｏｉｃｅ  ｏｖｅｒ  ＤＣＨのアーキテクチャを説明する図である。
【図３】無線通信システムにおいて、無線アクセスベアラをＤＣＨ上に確立する場合の全体動作の一例を説明するシーケンス図である。
【図４】ＣＳ  ｖｏｉｃｅ  ｏｖｅｒ  ＨＳＰＡのアーキテクチャを説明する図である。
【図５】無線通信システムにおいて、無線アクセスベアラをＥ−ＤＣＨ／ＨＳＤＰＡ上に確立する場合の全体動作の一例を説明するシーケンス図である。
【図６】本発明の第１〜第５の実施形態に係る無線通信装置の構成を示すブロック図である。
【図７】本発明の第１の実施形態に係る無線通信装置の動作を説明するフローチャートである。
【図８】無線通信システムにおいて、無線アクセスベアラをＤＣＨからＥ−ＤＣＨ／ＨＳＤＰＡに再構築する場合の全体動作の一例を説明するシーケンス図である。
【図９】無線通信システムにおいて、無線アクセスベアラをＥ−ＤＣＨ／ＨＳＤＰＡからＤＣＨに再構築する場合の全体動作の一例を説明するシーケンス図である。
【図１０】本発明の第２、第３および第５の実施形態に係る無線通信装置の動作を説明するフローチャートである。
【図１１】本発明の第４の実施形態に係る無線通信装置の動作を説明するフローチャートである。
【図１２】無線通信システムにおいて、無線アクセスベアラをＤＣＨからＥ−ＤＣＨ／ＨＳＤＰＡに再構築する場合の全体動作の他の例を説明するシーケンス図である。
【図１３】本発明の第５の実施形態に係る無線通信装置の動作を説明するフローチャートである。
【発明を実施するための形態】
【００３８】
以下に、本発明を実施するための最良の形態について図面を参照して説明する。
【００３９】
なお、以下で説明する全ての実施形態において、無線通信システムの全体構成自体は、図１に示したものと同様である。
【００４０】
（第１の実施形態）
図６に示すように、本実施形態に係るＵＥ６０は、無線アクセスベアラをＤＣＨとＥ−ＤＣＨ／ＨＳＤＰＡとの間で再構築する場合、回線交換呼の秘匿設定に用いる初期値である新たなＳＴＡＲＴ値を設定する制御部６１と、制御部６１にて設定された新たなＳＴＡＲＴ値をＵＴＲＡＮ１０に送信する送受信部６２と、を有している。
【００４１】
以下、本実施形態に係るＵＥ６０の動作について、図７を参照して説明する。
【００４２】
図７に示すように、まず、ステップ２０１において、制御部６１は、無線アクセスベアラをＤＣＨとＥ−ＤＣＨ／ＨＳＤＰＡとの間で再構築する場合、回線交換呼の秘匿設定に用いる新たなＳＴＡＲＴ値を設定する。
【００４３】
その後、ステップ２０２において、送受信部６２は、制御部６１にて設定された新たなＳＴＡＲＴ値をＵＴＲＡＮ１０に送信する。
【００４４】
したがって、本実施形態においては、無線アクセスベアラを再構築する場合、ＵＥ６０およびＵＴＲＡＮ１０の双方で、ＵＥ６０にて設定された新たな初期値を用いて秘匿設定を行うことができるため、回線交換呼を正しく秘匿することができるという効果が得られる。
【００４５】
（第２の実施形態）
本実施形態に係るＵＥ６０は、図６に示した第１の実施形態の動作をより具体化した一例であり、構成自体は第１の実施形態と同様である。
【００４６】
すなわち、制御部６１は、概略的には、無線アクセスベアラをＤＣＨとＥ−ＤＣＨ／ＨＳＤＰＡとの間で再構築する場合、既存の無線ベアラリソースを解放する前に、ＳＴＡＲＴ値を計算し、計算されたＳＴＡＲＴ値を新たなＳＴＡＲＴ値に設定するという動作を行う。
【００４７】
以下、本実施形態の動作について説明する。
【００４８】
［無線通信システムの全体動作］
最初に、本実施形態の無線通信システムの全体動作について説明する。なお、無線アクセスベアラをＤＣＨ上に確立する場合およびＥ−ＤＣＨ／ＨＳＤＰＡ上に確立する場合の全体動作は、それぞれ図３および図５に示したものと同様であるため、ここでは、無線アクセスベアラをＤＣＨとＥ−ＤＣＨ／ＨＳＤＰＡとの間で再構築する場合の全体動作についてのみ説明する。
【００４９】
まず、無線アクセスベアラをＤＣＨからＥ−ＤＣＨ／ＨＳＤＰＡに再構築する場合の全体動作を、図８を参照して説明する。
【００５０】
ここでは、図８に示すように、ステップ３０１において、図３に示した動作により、無線アクセスベアラをＤＣＨ上に確立し、回線交換呼がＤＣＨ上にマッピングされていることを前提とする。
【００５１】
この状態で、ステップ３０２において、ＵＴＲＡＮ１０は、回線交換呼をＤＣＨからＥ−ＤＣＨ／ＨＳＤＰＡにマッピングし直すことを決定したとする。
【００５２】
次に、ステップ３０３において、ＵＴＲＡＮ１０は、Ｅ−ＤＣＨ／ＨＳＤＰＡリソースの確保、設定を行う。さらに、ＵＴＲＡＮ１０は、ステップ３０４において、Ｅ−ＤＣＨ／ＨＳＤＰＡ上への無線アクセスベアラの確立を指示する無線アクセスベアラセットアップ情報（ＲＡＢ  ｉｎｆｏｒｍａｔｉｏｎ  ｆｏｒ  ｓｅｔｕｐ）の情報要素を含む無線ベアラセットアップ（ＲＡＤＩＯ  ＢＥＡＲＥＲ  ＳＥＴＵＰ）メッセージを送信する。
【００５３】
次に、ステップ３０５において、ＵＥ６０は、受信したＲＡＤＩＯ  ＢＥＡＲＥＲ  ＳＥＴＵＰメッセージに含まれるＲＡＢ  ｉｎｆｏｒｍａｔｉｏｎ  ｆｏｒ  ｓｅｔｕｐ情報要素の指示に従い、既存のＤＣＨリソースを解放するとともに、Ｅ−ＤＣＨ／ＨＳＤＰＡの無線ベアラを確立するＥ−ＤＣＨ／ＨＳＤＰＡ設定を行う。このＥ−ＤＣＨ／ＨＳＤＰＡ設定においては、ＳＴＡＲＴ値の設定とそのＳＴＡＲＴ値を用いたＲＬＣにおける秘匿設定も行う。さらに、ステップ３０６において、ＵＥ６０は、ＵＴＲＡＮ１０に対し、設定したＳＴＡＲＴ値を含む無線ベアラセットアップ完了（ＲＡＤＩＯ  ＢＥＡＲＥＲ  ＳＥＴＵＰ  ＣＯＭＰＬＥＴＥ）メッセージを送信する。
【００５４】
その後、ＵＴＲＡＮ１０は、ステップ３０７において、ＵＥ６０から送信されてきたＳＴＡＲＴ値を用いて、ＲＬＣにおける秘匿設定を行った後、ステップ３０８において、ＭＳＣ５０に対し、無線アクセスベアラアサインメント応答（ＲＡＢ  ＡＳＳＩＧＮＭＥＮＴ  ＲＥＳＰＯＮＳＥ）メッセージを送信する。
【００５５】
続いて、無線アクセスベアラをＥ−ＤＣＨ／ＨＳＤＰＡからＤＣＨに再構築する場合の全体動作を、図９を参照して説明する。
【００５６】
ここでは、図９に示すように、ステップ４０１において、図５に示した動作により、無線アクセスベアラをＥ−ＤＣＨ／ＨＳＤＰＡ上に確立し、回線交換呼がＥ−ＤＣＨ／ＨＳＤＰＡ上にマッピングされていることを前提とする。
【００５７】
この状態で、ステップ４０２において、ＵＴＲＡＮ１０は、回線交換呼をＥ−ＤＣＨ／ＨＳＤＰＡからＤＣＨにマッピングし直すことを決定したとする。
【００５８】
次に、ステップ４０３において、ＵＴＲＡＮ１０は、ＤＣＨリソースの確保、設定を行い、前回ＵＥ６０から送信されてきたＳＴＡＲＴ値を用いて、ＭＡＣにおける秘匿設定を行う。さらに、ステップ４０４において、ＵＴＲＡＮ１０は、ＤＣＨ上への無線アクセスベアラの確立を指示するＲＡＢ  ｉｎｆｏｒｍａｔｉｏｎ  ｆｏｒ  ｓｅｔｕｐ情報要素を含むＲＡＤＩＯ  ＢＥＡＲＥＲ  ＳＥＴＵＰメッセージを送信する。
【００５９】
次に、ステップ４０５において、ＵＥ６０は、受信したＲＡＤＩＯ  ＢＥＡＲＥＲ  ＳＥＴＵＰメッセージに含まれるＲＡＢ  ｉｎｆｏｒｍａｔｉｏｎ  ｆｏｒ  ｓｅｔｕｐ情報要素の指示に従い、既存のＥ−ＤＣＨ／ＨＳＤＰＡリソースを解放するとともに、ＤＣＨの無線ベアラを確立するＤＣＨ設定を行う。このＤＣＨ設定においては、ＳＴＡＲＴ値の設定とそのＳＴＡＲＴ値を用いたＭＡＣにおける秘匿設定も行う。さらに、ステップ４０６において、ＵＥ６０は、ＵＴＲＡＮ１０に対し、設定したＳＴＡＲＴ値を含むＲＡＤＩＯ  ＢＥＡＲＥＲ  ＳＥＴＵＰ  ＣＯＭＰＬＥＴＥメッセージを送信する。
【００６０】
その後、ステップ４０７において、ＵＴＲＡＮ１０は、ＵＥ６０から送信されてきたＳＴＡＲＴ値を用いて、ＭＡＣにおける秘匿設定の更新を行った後、ステップ４０８において、ＭＳＣ５０に対し、ＲＡＢ  ＡＳＳＩＧＮＭＥＮＴ  ＲＥＳＰＯＮＳＥメッセージを送信する。
【００６１】
［ＵＥ６０の動作］
続いて、本実施形態に係るＵＥ６０の動作を、図１０を参照して説明する。ここでは、図３、図５、図８、図９のステップ１１０５，１３０５，３０５，４０５に相当する動作について説明する。
【００６２】
図１０に示すように、まず、ステップ５０１において、制御部６１は、ＵＴＲＡＮ１０から受信したＲＡＤＩＯ  ＢＥＡＲＥＲ  ＳＥＴＵＰメッセージに含まれるＲＡＢ  ｉｎｆｏｒｍａｔｉｏｎ  ｆｏｒ  ｓｅｔｕｐ情報要素を基に、無線アクセスベアラのＥ−ＤＣＨ／ＨＳＤＰＡからＤＣＨへの再構築、または、ＤＣＨからＥ−ＤＣＨ／ＨＳＤＰＡへの再構築であるという条件１を満たすか否かを判定し、条件１を満たせば、ステップ５０２に移行し（以降の処理は、図８、図９のステップ３０５，４０５に相当）、満たさなければ、ステップ５０７に移行する（以降の処理は、図３、図５のステップ１１０５，１３０５に相当）。具体的には、例えば、ＲＡＢ  ｉｎｆｏｒｍａｔｉｏｎ  ｆｏｒ  ｓｅｔｕｐ情報要素の一部であるＲＡＢ情報（RAB Info）と一致する無線アクセスベアラが、ＵＥ６０ために現在確立されている既存の無線アクセスベアラとして存在すれば、ＲＡＤＩＯ  ＢＥＡＲＥＲ  ＳＥＴＵＰメッセージは再構築を示しており、条件１を満たすと判定される。
【００６３】
ステップ５０２においては、制御部６１は、ＲＡＤＩＯ  ＢＥＡＲＥＲ  ＳＥＴＵＰメッセージに含まれるコアネットワークドメインＩＤ（ＣＮ  ｄｏｍａｉｎ  ｉｄｅｎｔｉｔｙ）情報要素が指定するコアネットワークドメイン（ＣＮ  ｄｏｍａｉｎ）のためのＴＭの無線ベアラが現在存在せず、かつ、少なくとも１つのＴＭの無線ベアラがＲＡＢ  ｉｎｆｏｒｍａｔｉｏｎ  ｆｏｒ  ｓｅｔｕｐ情報要素の一部であるＲＢ  ｉｎｆｏｒｍａｔｉｏｎ  ｔｏ  ｓｅｔｕｐ情報要素に含まれているという条件２を満たすか否かを判定し、条件２を満たせば、新たなＳＴＡＲＴ値の設定を実行するステップ５０４に移行し、満たさなければ、ステップ５０３に移行する。ここで、本実施形態においては、ＲＡＤＩＯ  ＢＥＡＲＥＲ  ＳＥＴＵＰメッセージに含まれるＣＮ  ｄｏｍａｉｎ  ｉｄｅｎｔｉｔｙ情報要素が指定するＣＮ  ｄｏｍａｉｎ、つまり、ＲＡＤＩＯ  ＢＥＡＲＥＲ  ＳＥＴＵＰメッセージが指定するＣＮ  ｄｏｍａｉｎは、回線交換ドメインである。さらに、条件２を満たすことは、ＵＥ６０のために確立され、ＤＣＨにマッピングされた回線交換ドメインのための無線アクセスベアラが存在しない状態で、ＲＡＤＩＯ  ＢＥＡＲＥＲ  ＳＥＴＵＰメッセージが、Ｅ−ＤＣＨ／ＨＳＤＰＡからＤＣＨへの再構築を示していることを意味する。
【００６４】
ステップ５０３においては、制御部６１は、少なくとも１つのＲＬＣ−ＡＭ（RLC Acknowledged Mode）またはＲＬＣ−ＵＭ（RLC Unacknowledged Mode）の無線ベアラがＲＢ  ｉｎｆｏｒｍａｔｉｏｎ  ｔｏ  ｓｅｔｕｐ情報要素に含まれているという条件３を満たすか否かを判定し、条件３を満たせば、新たなＳＴＡＲＴ値の設定を実行するステップ５０４に移行し、満たさなければ、ステップ５０５に移行する。ここで、条件３を満たすことは、ＲＡＤＩＯ  ＢＥＡＲＥＲ  ＳＥＴＵＰメッセージが、ＤＣＨからＥ−ＤＣＨ／ＨＳＤＰＡへの再構築を示していることを意味する。
【００６５】
ステップ５０４においては、制御部６１は、再構築前の秘匿設定に用いられていた、カウント−Ｃ等の変数を用いてＳＴＡＲＴ値を計算し、計算されたＳＴＡＲＴ値を新たなＳＴＡＲＴ値に設定する。また、計算されたＳＴＡＲＴ値は、新たなＳＴＡＲＴ値として不図示の記憶部に格納される。ＳＴＡＲＴ値の計算方法には、例えば、非特許文献２に記載された方法を使用することができる。
【００６６】
ステップ５０５においては、制御部６１は、既存の無線ベアラリソースを解放する。具体的には、既存の無線ベアラに用いられていたＰＤＣＰ（Packet Data Convergence Protocol）およびＲＬＣのエンティティを解放し、既存の無線ベアラに関連する無線アクセスベアラのサブフローを解放する。
【００６７】
その後、ステップ５０６において、制御部６１は、その時点で記憶部に格納されているＳＴＡＲＴ値を用いて、ＲＡＢ  ｉｎｆｏｒｍａｔｉｏｎ  ｆｏｒ  ｓｅｔｕｐ情報要素により指示された無線ベアラを確立する。
【００６８】
なお、ステップ５０１で条件１を満たさない場合に行われるステップ５０７〜５０９の処理は、上述のステップ５０２〜５０４と同様である。
【００６９】
上述したように本実施形態においては、無線アクセスベアラを再構築する場合、既存の無線ベアラリソースを解放する前に、ＳＴＡＲＴ値を計算し、計算されたＳＴＡＲＴ値を新たなＳＴＡＲＴ値に設定するため、第１の実施形態と同様に、回線交換呼を正しく秘匿することができるという効果が得られる。
【００７０】
また、本実施形態においては、既存の無線ベアラリソースを解放する前にＳＴＡＲＴ値を計算するため、再構築前の秘匿設定に用いられていたカウント−Ｃ等の変数を考慮したＳＴＡＲＴ値を設定することができるという効果も得られる。
【００７１】
（第３の実施形態）
本実施形態に係るＵＥ６０は、図６に示した第１の実施形態の動作をより具体化した他の例であり、構成自体は第１の実施形態と同様である。
【００７２】
すなわち、制御部６１は、概略的には、無線アクセスベアラをＤＣＨとＥ−ＤＣＨ／ＨＳＤＰＡとの間で再構築する場合、既存の無線ベアラリソースを解放する前に、ＵＴＲＡＮ１０に前回送信したＳＴＡＲＴ値を新たなＳＴＡＲＴ値に設定するという動作を行う。
【００７３】
以下、本実施形態の動作について説明する。なお、本実施形態の無線通信システムの全体動作は、第２の実施形態と同じく、図３、図５、図８、図９に示したものと同様である。そのため、ここでは、ＵＥ６０の動作のみ説明する。
【００７４】
［ＵＥ６０の動作］
本実施形態に係るＵＥ６０の動作は、図１０に示したものと、ステップ５０４の処理以外は同様である。そのため、ここでは、ステップ５０４の処理のみ説明する。
【００７５】
ステップ５０４においては、制御部６１は、ＵＴＲＡＮ１０に前回送信したＳＴＡＲＴ値（ＵＴＲＡＮ１０が保持する最新のＳＴＡＲＴ値）を新たなＳＴＡＲＴ値に設定する。また、前回送信したＳＴＡＲＴ値は、新たなＳＴＡＲＴ値として不図示の記憶部に格納される。
【００７６】
上述したように本実施形態においては、無線アクセスベアラを再構築する場合、既存の無線ベアラリソースを解放する前に、ＵＴＲＡＮ１０に前回送信したＳＴＡＲＴ値を新たなＳＴＡＲＴ値に設定するため、第１の実施形態と同様に、回線交換呼を正しく秘匿することができるという効果が得られる。
【００７７】
また、本実施形態においては、ＵＴＲＡＮ１０に前回送信したＳＴＡＲＴ値、すなわちＵＴＲＡＮ１０が保持しているＳＴＡＲＴ値を新たなＳＴＡＲＴ値に設定するため、ＵＴＲＡＮ１０がＲＡＤＩＯ  ＢＥＡＲＥＲ  ＳＥＴＵＰ  ＣＯＭＰＬＥＴＥメッセージを受信する前にＵＥ６０とＵＴＲＡＮ１０との間で送受信される回線交換呼のデータに対しても、ＵＥ６０とＵＴＲＡＮ１０との双方が、同じＳＴＡＲＴ値を用いて秘匿設定を行うことができる。つまり、無線アクセスベアラの再構築直後から、回線交換呼の秘匿設定の同期を図るのが容易になるという効果も得られる。
【００７８】
（第４の実施形態）
本実施形態に係るＵＥ６０は、図６に示した第１の実施形態の動作をより具体化したさらに他の例であり、構成自体は第１の実施形態と同様である。
【００７９】
すなわち、制御部６１は、概略的には、無線アクセスベアラをＤＣＨとＥ−ＤＣＨ／ＨＳＤＰＡとの間で再構築する場合、既存の無線ベアラリソースを解放した後に、ＳＴＡＲＴ値を計算し、計算されたＳＴＡＲＴ値を新たなＳＴＡＲＴ値に設定するという動作を行う。
【００８０】
以下、本実施形態の動作について説明する。なお、本実施形態の無線通信システムの全体動作は、第２の実施形態と同じく、図３、図５、図８、図９に示したものと同様である。そのため、ここでは、ＵＥ６０の動作のみ説明する。
【００８１】
［ＵＥ６０の動作］
本実施形態に係るＵＥ６０の動作を、図１１を参照して説明する。ここでは、図３、図５、図８、図９のステップ１１０５，１３０５，３０５，４０５に相当する動作を説明する。
【００８２】
図１１に示すように、まず、ステップ６０１において、制御部６１は、ＵＴＲＡＮ１０から受信したＲＡＤＩＯ  ＢＥＡＲＥＲ  ＳＥＴＵＰメッセージに含まれるＲＡＢ  ｉｎｆｏｒｍａｔｉｏｎ  ｆｏｒ  ｓｅｔｕｐ情報要素を基に、無線アクセスベアラのＥ−ＤＣＨ／ＨＳＤＰＡからＤＣＨへの再構築、または、ＤＣＨからＥ−ＤＣＨ／ＨＳＤＰＡへの再構築であるという条件１を満たすか否かを判定し、条件１を満たせば、ステップ６０２に移行し（以降の処理は、図８、図９のステップ３０５，４０５に相当）、満たさなければ、ステップ６０７に移行する（以降の処理は、図３、図５のステップ１１０５，１３０５に相当）。具体的には、例えば、ＲＡＢ  ｉｎｆｏｒｍａｔｉｏｎ  ｆｏｒ  ｓｅｔｕｐ情報要素の一部であるＲＡＢ情報と一致する無線アクセスベアラが、ＵＥ６０のために現在確立されている既存の無線アクセスベアラとして存在すれば、ＲＡＤＩＯ  ＢＥＡＲＥＲ  ＳＥＴＵＰメッセージは再構築を示しており、条件１を満たすと判定される。
【００８３】
ステップ６０２においては、制御部６１は、既存の無線ベアラリソースを解放する。具体的には、既存の無線ベアラに用いられていたＰＤＣＰおよびＲＬＣのエンティティを解放し、既存の無線ベアラに関連する無線アクセスベアラのサブフローを解放する。
【００８４】
ステップ６０３においては、制御部６１は、ＲＡＤＩＯ  ＢＥＡＲＥＲ  ＳＥＴＵＰメッセージに含まれるＣＮ  ｄｏｍａｉｎ  ｉｄｅｎｔｉｔｙ情報要素が指定するＣＮ  ｄｏｍａｉｎのためのＴＭの無線ベアラが現在存在せず、かつ、少なくとも１つのＴＭの無線ベアラがＲＡＢ  ｉｎｆｏｒｍａｔｉｏｎ  ｆｏｒ  ｓｅｔｕｐ情報要素の一部であるＲＢ  ｉｎｆｏｒｍａｔｉｏｎ  ｔｏ  ｓｅｔｕｐ情報要素に含まれているという条件２を満たすか否かを判定し、条件２を満たせば、新たなＳＴＡＲＴ値の設定を実行するステップ６０５に移行し、満たさなければ、ステップ６０４に移行する。ここで、本実施形態においては、ＲＡＤＩＯ  ＢＥＡＲＥＲ  ＳＥＴＵＰメッセージに含まれるＣＮ  ｄｏｍａｉｎ  ｉｄｅｎｔｉｔｙ情報要素が指定するＣＮ  ｄｏｍａｉｎ、つまり、ＲＡＤＩＯ  ＢＥＡＲＥＲ  ＳＥＴＵＰメッセージが指定するＣＮ  ｄｏｍａｉｎは、回線交換ドメインである。
【００８５】
ステップ６０４においては、制御部６１は、少なくとも１つのＲＬＣ−ＡＭまたはＲＬＣ−ＵＭの無線ベアラがＲＢ  ｉｎｆｏｒｍａｔｉｏｎ  ｔｏ  ｓｅｔｕｐ情報要素に含まれているという条件３を満たすか否かを判定し、条件３を満たせば、新たなＳＴＡＲＴ値の設定を実行するステップ６０５に移行し、満たさなければ、ステップ６０６に移行する。
【００８６】
ステップ６０５においては、制御部６１は、ＳＴＡＲＴ値を計算し、計算されたＳＴＡＲＴ値を新たなＳＴＡＲＴ値に設定する。また、計算されたＳＴＡＲＴ値は、新たなＳＴＡＲＴ値として不図示の記憶部に格納される。
【００８７】
その後、ステップ６０６において、制御部６１は、その時点で記憶部に格納されているＳＴＡＲＴ値を用いて、ＲＡＢ  ｉｎｆｏｒｍａｔｉｏｎ  ｆｏｒ  ｓｅｔｕｐ情報要素により指示された無線ベアラを確立する。
【００８８】
なお、ステップ６０１で条件１を満たさない場合に行われるステップ６０７〜６０９の処理は、図１０のステップ５０２〜５０４と同様である。
【００８９】
上述したように本実施形態においては、無線アクセスベアラを再構築する場合、既存の無線ベアラリソースを解放した後に、ＳＴＡＲＴ値を計算し、計算されたＳＴＡＲＴ値を新たなＳＴＡＲＴ値に設定するため、第１の実施形態と同様に、回線交換呼を正しく秘匿することができるという効果が得られる。
【００９０】
（第５の実施形態）
本実施形態に係るＵＥ６０は、図６に示した第１の実施形態の動作をより具体化したさらに別の例であり、構成自体は第１の実施形態と同様である。
【００９１】
すなわち、制御部６１は、概略的には、無線アクセスベアラをＤＣＨとＥ−ＤＣＨ／ＨＳＤＰＡとの間で再構築する場合、既存の無線ベアラリソースを解放する前に、新たなＳＴＡＲＴ値に設定するという動作を行う。また、制御部６１は、新たなＳＴＡＲＴ値を設定するに際し、予め決められた条件を満たすか否かに応じて、上述の第２または第３の実施形態のいずれかの方法でＳＴＡＲＴ値の設定を行う。
【００９２】
以下、本実施形態の動作について説明する。
【００９３】
［無線通信システムの全体動作］
最初に、本実施形態の無線通信システムの全体動作について説明する。なお、無線通信システムの全体動作は、第２の実施形態と同じく、図３、図５、図８、図９に示したものと同様である。ただし、無線アクセスベアラをＤＣＨからＥ−ＤＣＨ／ＨＳＤＰＡに再構築するに際して、第３の実施形態の方法でＳＴＡＲＴ値を設定する点で、第２の実施形態の全体動作（図８）と異なる。そのため、ここでは、この場合の全体動作のみ、図１２を参照して説明する。
【００９４】
ここでは、図１２に示すように、ステップ７０１において、図３に示した動作により、無線アクセスベアラをＤＣＨ上に確立し、回線交換呼がＤＣＨ上にマッピングされていることを前提とする。
【００９５】
この状態で、ステップ７０２において、ＵＴＲＡＮ１０は、回線交換呼をＤＣＨからＥ−ＤＣＨ／ＨＳＤＰＡにマッピングし直すことを決定したとする。
【００９６】
次に、ステップ７０３において、ＵＴＲＡＮ１０は、Ｅ−ＤＣＨ／ＨＳＤＰＡリソースの確保、設定を行い、前回ＵＥ６０から送信されてきたＳＴＡＲＴ値を用いて、ＲＬＣにおける秘匿設定を行う。さらに、ステップ７０４において、ＵＴＲＡＮ１０は、Ｅ−ＤＣＨ／ＨＳＤＰＡ上への無線アクセスベアラの確立を指示するＲＡＢ  ｉｎｆｏｒｍａｔｉｏｎ  ｆｏｒ  ｓｅｔｕｐ情報要素を含むＲＡＤＩＯ  ＢＥＡＲＥＲ  ＳＥＴＵＰメッセージを送信する。
【００９７】
次に、ステップ７０５において、ＵＥ６０は、受信したＲＡＤＩＯ  ＢＥＡＲＥＲ  ＳＥＴＵＰメッセージに含まれるＲＡＢ  ｉｎｆｏｒｍａｔｉｏｎ  ｆｏｒ  ｓｅｔｕｐ情報要素の指示に従い、既存のＤＣＨリソースを解放するとともに、Ｅ−ＤＣＨ／ＨＳＤＰＡの無線ベアラを確立するＥ−ＤＣＨ／ＨＳＤＰＡ設定を行う。このＥ−ＤＣＨ／ＨＳＤＰＡ設定においては、前回のＳＴＡＲＴ値の新たなＳＴＡＲＴ値への設定とそのＳＴＡＲＴ値を用いたＲＬＣにおける秘匿設定も行う。次に、ステップ７０６において、ＵＥ６０は、ＵＴＲＡＮ１０に対し、設定したＳＴＡＲＴ値を含むＲＡＤＩＯ  ＢＥＡＲＥＲ  ＳＥＴＵＰ  ＣＯＭＰＬＥＴＥメッセージを送信する。
【００９８】
次に、ステップ７０７において、ＵＴＲＡＮ１０は、必要であれば、ＵＥ６０から送信されてきたＳＴＡＲＴ値を用いて、ＲＬＣにおける秘匿設定を更新する。すなわち、ＵＥ６０から送信されてきたＳＴＡＲＴ値が、前回と同様である場合には、秘匿設定の更新は必ずしも行う必要はない。
【００９９】
その後、ステップ７０８において、ＵＴＲＡＮ１０は、ＭＳＣ５０に対し、ＲＡＢ  ＡＳＳＩＧＮＭＥＮＴ  ＲＥＳＰＯＮＳＥメッセージを送信する。
【０１００】
［ＵＥ６０の動作］
続いて、本実施形態に係るＵＥ６０の動作を、図１３を参照して説明する。本実施形態に係るＵＥ６０の動作は、図１０に示したものと比較して、ステップ５０４を、ステップ８０１，８０２に変更した点のみが異なり、それ以外は同様である。そのため、ここでは、ステップ８０１，８０２の処理のみ説明する。
【０１０１】
図１３に示すように、ステップ８０１は、ステップ５０２で条件２を満たしている場合に行われる。このステップ８０１においては、制御部６１は、ＳＴＡＲＴ値を計算し、計算されたＳＴＡＲＴ値を新たなＳＴＡＲＴ値に設定する。また、計算されたＳＴＡＲＴ値は、新たなＳＴＡＲＴ値として不図示の記憶部に格納される。
【０１０２】
また、ステップ８０２は、ステップ５０３で条件３を満たしている場合に行われる。このステップ８０２においては、制御部６１は、ＵＴＲＡＮ１０に前回送信したＳＴＡＲＴ値を新たなＳＴＡＲＴ値に設定する。また、前回送信したＳＴＡＲＴ値は、新たなＳＴＡＲＴ値として不図示の記憶部に格納される。
【０１０３】
上述したように本実施形態においては、無線アクセスベアラを再構築する場合、既存の無線ベアラリソースを解放する前に、ＵＴＲＡＮ１０に前回送信したＳＴＡＲＴ値を新たなＳＴＡＲＴ値に設定するため、第１の実施形態と同様に、回線交換呼を正しく秘匿することができるという効果が得られる。
【０１０４】
また、本実施形態においては、ＲＡＢ  ｉｎｆｏｒｍａｔｉｏｎ  ｆｏｒ  ｓｅｔｕｐ情報要素の内容に応じて、ＳＴＡＲＴ値の設定方法を変更することができるという効果が得られる。
【０１０５】
例えば、ＵＴＲＡＮ１０に前回送信したＳＴＡＲＴ値を新たなＳＴＡＲＴ値に設定する方法を採った場合には、第３の実施形態と同様に、ＵＥ６０とＵＴＲＡＮ１０との双方が、無線アクセスベアラの再構築直後から、回線交換呼の秘匿設定の同期を図るのが容易になるという効果が得られ、また、計算したＳＴＡＲＴ値を新たなＳＴＡＲＴ値に設定する方法を採った場合には、第２の実施形態と同様に、既存の無線アクセスベアラのカウント−Ｃ等の変数を考慮したＳＴＡＲＴ値を設定することができるという効果が得られる。
【０１０６】
以上、実施形態を参照して本願発明を説明したが、本願発明は上記実施形態に限定されものではない。本願発明の構成や詳細には、本願発明の範囲内で当業者が理解し得る様々な変更をすることができる。
【０１０７】
例えば、第１〜第５の実施形態では、一例として、３ＧＰＰの無線通信システムを説明したが、第１〜第５の実施形態の無線通信システム、無線通信装置、および暗号化方法は、回線交換ドメインの無線アクセスベアラを、秘匿設定方法（例えば、変数）の異なる通信チャネル間で再構築する他の無線通信システムにも適用することができる。この場合にも、無線通信装置および無線アクセスネットワークの双方で、無線通信装置にて設定された新たな初期値を用いて秘匿設定を行うことができるため、回線交換呼を正しく秘匿することができるという効果が得られる。
【０１０８】
また、第３および第５の実施形態では、一例として、既存の無線ベアラリソースを解放する前に、新たなＳＴＡＲＴ値を設定する動作を説明したが、第４の実施形態のように、既存の無線ベアラリソースを解放した後に、新たなＳＴＡＲＴ値を設定することもできる。
【０１０９】
本出願は、２００７年１２月２７日に出願された日本出願特願２００７−３３６７２９を基礎とする優先権を主張し、その開示の全てをここに取り込む。
【図１】
0005477487.tif 000002
【図２】
0005477487.tif 000003
【図３】
0005477487.tif 000004
【図４】
0005477487.tif 000005
【図５】
0005477487.tif 000006
【図６】
0005477487.tif 000007
【図７】
0005477487.tif 000008
【図８】
0005477487.tif 000009
【図９】
0005477487.tif 000010
【図１０】
0005477487.tif 000011
【図１１】
0005477487.tif 000012
【図１２】
0005477487.tif 000013
【図１３】
0005477487.tif 000014